(57)【要約】【課題】発光体を熱源とするドライヤーにおいて、リフレクタから漏れ出た光がユーザーの目に入ることがなく防眩性の向上を図るとともに、乾燥に寄与しない光を抑えてエネルギー効率の向上を図る。【解決手段】導風路１１の内部に送風ファン１６と、発光体１８と、リフレクタ２３を配置し、リフレクタ２３の照射開口２６に可視光の透過を阻む光学フィルタ３０を配置する。導風路１１に、光学フィルタ３０を通過せずリフレクタ２３の外部に放出された光、換言すればリフレクタ２３から漏れ出た可視光を含む高強度の光を受け止めて吸収する吸光体３８を配置する。これにより高強度の光が吹出口１０からユーザーに向かって直接的に照射されること防いで防眩性の向上を図ることができる。漏れ出た光を吸収することにより温度上昇した吸光体３８により、導風路１１を流れる乾燥風を温めることができるので、エネルギー効率の向上を図ることができる。【選択図】図１
2020130718.tif 000002
【特許請求の範囲】
【請求項１】
前端に吹出口（１０）を有し、内部に導風路（１１）が形成された本体ケース（１）と、
導風路（１１）内に設けられ、乾燥風を生起して吹出口（１０）へ送給する送風ファン（１６）と、
導風路（１１）内に設けられた熱源となる発光体（１８）と、
本体ケース（１）の内部に発光体（１８）を囲むように設けられ、発光体（１８）から放射された光を吹出口（１０）に向って反射案内するリフレクタ（２３）と、
リフレクタ（２３）の吹出口（１０）側に設けられた光の照射開口（２６）を塞ぐように設けられ、可視光の透過を阻む光学フィルタ（３０）と、を備え、
導風路（１１）に、光学フィルタ（３０）を通過せずリフレクタ（２３）の外部に放出された光を受け止めて吸収する吸光体（３８）が配置されていることを特徴とするドライヤー。
【請求項２】
リフレクタ（２３）に発光体（１８）が装着される組付け開口（２７）が形成されており、
組付け開口（２７）から外部に放出される光の放出領域に臨むように吸光体（３８）が配置されている請求項１に記載のドライヤー。
【請求項３】
円筒状に形成されたリフレクタ（２３）の前端に照射開口（２６）が設けられ、後端に組付け開口（２７）が設けられており、
リフレクタ（２３）の筒軸心は、前後方向に伸びる導風路（１１）の軸心と平行となるように導風路（１１）に配置されており、
吸光体（３８）は、内面が組付け開口（２７）に臨む円筒状の複数の受光リング（４１）を備え、該複数の受光リング（４１）はリフレクタ（２３）と同心の多段円筒状に配置されており、
内外に隣り合う２個の受光リング（４１・４１）において、発光体（１８）の発光中心（Ｃ）と内側の受光リング（４１）の外面前端とを結ぶ第１仮想光軸（Ｌ１）を想定したとき、外側の受光リング（４１）の内面後端が、第１仮想光軸（Ｌ１）が当該受光リング（４１）の内面と交差する位置よりも後方に延出されている請求項２に記載のドライヤー。
【請求項４】
発光体（１８）の発光中心（Ｃ）と組付け開口（２７）の内面後端とを結ぶ第２仮想光軸（Ｌ２）を想定したとき、最も外側の受光リング（４１）の内面前端が、第２仮想光軸（Ｌ２）が当該受光リング（４１）の内面と交差する位置よりも前方に延出されている請求項３に記載のドライヤー。
【請求項５】
導風路（１１）が円柱状に形成されており、
リフレクタ（２３）の筒軸心が、導風路（１１）と同心状に配置されている請求項３または４に記載のドライヤー。
【請求項６】
吸光体（３８）における光の吸収率が４０％以上である請求項１から５のいずれかひとつに記載のドライヤー。
【請求項７】
光を受け止めて吸収する吸光体（３８）の表面が凹凸（４８）を有する請求項１から６のいずれかひとつに記載のドライヤー。
【発明の詳細な説明】
【技術分野】
【０００１】
本発明は、発光体から放射される光（電磁波）を利用して毛髪などの乾燥を行うドライヤーに関する。
【背景技術】
【０００２】
本発明のドライヤーは、熱源として赤外線を含む光を放射する発光体を用いるが、この種のドライヤーは特許文献１に開示されている。特許文献１に記載のドライヤーは、円筒状の本体部（本体ケース）の内部に、ファン（送風ファン）と、熱線性光源（発光体）と、熱線性光源の周囲を覆う反射体（リフレクタ）と、反射体の前側の開口部を塞ぐフィルタ（光学フィルタ）などを備える。熱線性光源は、ハロゲンランプ、白熱ランプ、キセノンランプ、メタルハライドランプなどで構成される。
【先行技術文献】
【特許文献】
【０００３】
【特許文献１】国際公開第２０１６／０７２０３１号
【発明の概要】
【発明が解決しようとする課題】
【０００４】
特許文献１のドライヤーによれば、熱線性光源から放射されてフィルタを通過する光のうち、可視光の殆どをフィルタで遮断するので、髪乾燥時のユーザーの目に眩しい光が入るのを概ね阻止できる。しかし、反射体の椀状壁には、熱線性光源を反射体の内部に組付けるための後側の開口部が開設されており、反射体の円筒壁には、反射体の内部に流入した冷却空気を反射体の外へ流出させる貫通穴の一群が形成されている。このため、熱線性光源から放射されフィルタを通過していない高強度の光が、後側の開口部および貫通穴を介して反射体から漏れ出ることが避けられず、漏れ出た光が本体部の内部に配置された部材で反射されて、ユーザーの目に入るおそれがある。加えて、リフレクタから漏れ出る光は髪の乾燥に全く寄与しておらず、その分だけ電力が無駄に消費されており、乾燥効率の低下を招来している点でも改善の余地がある。なお、後側の開口部および貫通穴をなくすことで光の漏れ出しは防ぐことができるが、このように貫通穴をなくした場合には、反射体の内部空気の排気効率が低下して、反射体の内部温度が上昇し、反射体の変形やフィルタの割れなどの新たな不具合を招くおそれがある。後側の開口部をなくした場合には、前記の不具合に加えドライヤーの組付け性の悪化も招くおそれがある。
【０００５】
本発明は、以上のような従来の発光体を熱源とするドライヤーの抱える問題を解決するためになされたものであり、リフレクタから漏れ出た光がユーザーの目に入ることがなく防眩性に優れるとともに、乾燥に寄与しない光を抑えてエネルギー効率に優れたドライヤーを提供することを目的とする。
【課題を解決するための手段】
【０００６】
本発明のドライヤーは、前端に吹出口１０を有し、内部に導風路１１が形成された本体ケース１と、導風路１１内に設けられ、乾燥風を生起して吹出口１０へ送給する送風ファン１６と、導風路１１内に設けられた熱源となる発光体１８と、本体ケース１の内部に発光体１８を囲むように設けられ、発光体１８から放射された光を吹出口１０に向って反射案内するリフレクタ２３と、リフレクタ２３の吹出口１０側に設けられた光の照射開口２６を塞ぐように設けられ、可視光の透過を阻む光学フィルタ３０とを備える。そして、導風路１１に、光学フィルタ３０を通過せずリフレクタ２３の外部に放出された光を受け止めて吸収する吸光体３８が配置されていることを特徴とする。
【０００７】
リフレクタ２３に発光体１８が装着される組付け開口２７が形成されている。組付け開口２７から外部に放出される光の放出領域に臨むように吸光体３８が配置されている。
【０００８】
円筒状に形成されたリフレクタ２３の前端に照射開口２６が設けられ、後端に組付け開口２７が設けられており、リフレクタ２３の筒軸心は、前後方向に伸びる導風路１１の軸心と平行となるように導風路１１に配置されている。吸光体３８は、内面が組付け開口２７に臨む円筒状の複数の受光リング４１を備え、該複数の受光リング４１はリフレクタ２３と同心の多段円筒状に配置されている。内外に隣り合う２個の受光リング４１・４１において、発光体１８の発光中心Ｃと内側の受光リング４１の外面前端とを結ぶ第１仮想光軸Ｌ１を想定したとき、外側の受光リング４１の内面後端が、第１仮想光軸Ｌ１が当該受光リング４１の内面と交差する位置よりも後方に延出されている。
【０００９】
発光体１８の発光中心Ｃと組付け開口２７の内面後端とを結ぶ第２仮想光軸Ｌ２を想定したとき、最も外側の受光リング４１の内面前端が、第２仮想光軸Ｌ２が当該受光リング４１の内面と交差する位置よりも前方に延出されている。
【００１０】
導風路１１が円柱状に形成されており、リフレクタ２３の筒軸心が、導風路１１と同心状に配置されている。
【００１１】
吸光体３８における光の吸収率は４０％以上であることが好ましい。
【００１２】
光を受け止めて吸収する吸光体３８の表面が凹凸４８を有するものとすることができる。
【発明の効果】
【００１３】
本発明においては、導風路１１に、光学フィルタ３０を通過せずリフレクタ２３の外部に放出された光、換言すればリフレクタ２３から漏れ出た可視光を含む高強度の光を受け止めて吸収する吸光体３８を配置した。これによれば、リフレクタ２３から漏れ出た光を吸光体３８で受け止めて吸収させて、高強度の光が吹出口１０からユーザーに向かって直接的に照射されること防ぐことができるので、ドライヤーの防眩性の向上を図ることができる。また、吸収した光によって吸光体３８が温度上昇し、さらに当該吸光体３８に導風路１１内を流れる乾燥風が接触して熱交換されることにより、乾燥風の温度上昇効果も期待できる。このことは吸光体３８に吸収された光を乾燥に寄与し得る熱エネルギーへ変換できることを意味しており、したがってドライヤーのエネルギー効率の向上を図ることができる。発光体１８からの照射光に由来する乾燥効果に加えて、温められた乾燥風による乾燥効果が発揮され、乾燥効率の向上を図ることができる点でも優れている。
【００１４】
発光体１８が装着されるリフレクタ２３の組付け開口２７から外部に放出される光の放出領域に臨むように吸光体３８が配置されていると、リフレクタ２３の組付け開口２７から漏れ出た光を吸光体３８で積極的に受け止めて吸収させることができる。これにより、発光体１８の良好な組付け性を確保しつつ、高強度の光が吹出口１０からユーザーに向かって照射されることを確実に阻止することができる。また、リフレクタ２３から漏れ出た光をより効率的に吸収して熱に変換させることができる。
【００１５】
吸光体３８が、内面が組付け開口２７に臨む円筒状の複数の受光リング４１を備えるものとし、複数の受光リング４１がリフレクタ２３と同心の多段円筒状に配置されている構成を採ることができる。これによれば、吸光体３８により乾燥風の流れが妨げられることはなく、当該吸光体３８を支障なく導風路１１内に配置することができる。加えて、内外に隣り合う２個の受光リング４１・４１において、発光体１８の発光中心Ｃと内側の受光リング４１の外面前端とを結ぶ第１仮想光軸Ｌ１を想定したとき、外側の受光リング４１の内面後端が、第１仮想光軸Ｌ１が当該受光リング４１の内面と交差する位置よりも後方に延出されていると、一つの受光リング４１において、その前端縁より前側に放出され、内面で受け止められなかった光を、当該受光リング４１の外側に配置された受光リング４１の内面で受け止めることができる。したがって、発光体１８から組付け開口２７を介して直接リフレクタ２３から漏れ出る光を吸光体３８で的確に受け止め吸収することができる。
【００１６】
発光体１８の発光中心Ｃと組付け開口２７の内面後端とを結ぶ第２仮想光軸Ｌ２を想定したとき、最も外側の受光リング４１の内面前端が、第２仮想光軸Ｌ２が当該受光リング４１の内面と交差する位置よりも前方に延出されていると、組付け開口２７から漏れ出る光の放射領域の最前部よりも前側に受光リング４１の内面を配置することができる。したがって、発光体１８から組付け開口２７を介して直接リフレクタ２３から漏れ出る光を吸光体３８でより的確に受け止めて吸収することができる。
【００１７】
導風路１１が円柱状に形成され、リフレクタ２３の筒軸心が、導風路１１と同心状に配置されていると、導風路１１、リフレクタ２３、複数の受光リング４１を同心状に配置することができるので、送風ファン１６で生起される乾燥風をこれら部材で整流して、吹出口１０へとスムーズに送給することができる。これにより、吹出口１０から吹き出される風速の低下を防止でき乾燥風を乾燥対象に効率よく送給することができる。
【００１８】
吸光体３８における光の吸収率は、４０％以上であることが好ましく、５０％以上であることがより好ましい。これは、光の吸収率が４０％未満であると、吸光体３８で反射される光の割合が多くなる分、光の弱化が充分ではなくなりユーザーが眩しさを感じることに拠る。また、吸光体３８の温度上昇に時間を要し、ドライヤーの使用開始後、乾燥風が定常温度に維持されるまでの時間が長くなることに拠る。
【００１９】
吸光体３８の表面は凹凸４８を有するものであることが望ましく、これによれば吸光体３８の表面積を拡大して吸光体３８と乾燥風との接触機会を増加させることができるので、吸光体３８と乾燥風との間の熱交換を促進させ、乾燥風に吸光体３８の熱を的確に移動させることができる。
【図面の簡単な説明】
【００２０】
【図１】本発明の実施例１に係るドライヤーの要部の縦断側面図である。
【図２】本発明の実施例１に係るドライヤーの側面図である。
【図３】図２におけるＡ−Ａ線断面図である。
【図４】図２におけるＢ−Ｂ線断面図である。
【図５】組付け開口からの光の放出状態と吸光体の配置との関係を示す縦断側面図である。
【図６】市販の解析ソフトウェアを用いたシミュレーションにおいて想定したドライヤーモデルを示す概略図である。
【図７】吸光体における光の吸収率に対する導風路入口側到達熱量を示すグラフである。
【図８】吸光体における光の吸収率に対する導風路出口側乾燥風温度を示すグラフである。
【図９】本発明の実施例２に係るドライヤーを構成する吸光体の要部の縦断側面図である。
【図１０】本発明の実施例３に係るドライヤーを構成する吸光体の要部の縦断正面図である。
【発明を実施するための形態】
【００２１】
（実施例１）  図１から図８に、本発明に係るドライヤーをヘアードライヤーに適用した実施例１を示す。本実施例における前後、左右、上下とは、図２および図３に示す交差矢印と、各矢印の近傍に表記した前後、左右、上下の表示に従う。図２および図３においてヘアードライヤーは、横長筒状の本体ケース１と、本体ケース１の後寄り下面に下向きに突出されるグリップ２とを備える。本体ケース１およびグリップ２は、左右に分割された一対の半割体３・４を接合して形成される。グリップ２の内部には、ヘアードライヤーの動作を起動ないし停止し、さらに温冷風モードを切換えるスライド式のスイッチ５が配置されており、該スイッチ５はグリップ２の前面に設けられたスライドノブ６で切換えられる。
【００２２】
図３に示すように、本体ケース１の後端には空気の吸込口９が設けられ、前端には乾燥風の吹出口１０が設けられており、本体ケース１の内部に吸込口９から吹出口１０へ至る導風路１１が形成されている。導風路１１の通路断面は真円状に形成されており（図４参照）、吸込口９から吹出口１０にわたって先窄まりの円柱状に形成されている。図３において符号１２はパンチングメタルからなる吸込グリル、符号１３は金属メッシュ体からなる吹出グリルであり、両グリル１２・１３はいずれも導風路１１内に髪、衣服あるいは手指等が入り込むのを防いでいる。両グリル１２・１３は一対の半割体３・４で左右から挟持固定されている。
【００２３】
導風路１１は、軸流式の送風ファン１６と、送風ファン１６を駆動するモーター１７と、熱源となるハロゲンランプ（発光体）１８などが上流側から下流側に向かって記載順に配置されている。ハロゲンランプ１８の内部には、フィラメント１９とともに不活性ガスおよびハロゲンガスが封入されており、ハロゲンランプ１８は同ランプ１８の後方に配置されたランプソケット２０に保持されている。ハロゲンランプ１８は、発光に伴い可視光（可視光線）に加え赤外光（赤外線）も同時に放射する。スライドノブ６をスライド操作して、スイッチ５でモーター１７を起動すると、送風ファン１６により吸込口９から外部空気が導風路１１に取り込まれ、吹出口１０から前方に向かって乾燥風が吹き出される。
【００２４】
図１に示すように導風路１１には、ハロゲンランプ１８から放射された光（可視光および赤外光）を吹出口１０に向って反射案内するリフレクタ２３が設けられており、該リフレクタ２３はハロゲンランプ１８を囲むように設けられている。リフレクタ２３は、前後に開口を有し、前後略中央にくびれ部が形成された円筒状のリフレクタ筒２４と、リフレクタ筒２４の後側の開口を塞ぐ椀状のリフレクタ蓋２５とを備えている。リフレクタ筒２４の前側の開口は、反射案内された光をリフレクタ２３の外部に放出する照射開口２６とされている。リフレクタ２３の筒軸心は、前後方向に伸びる導風路１１の軸心と一致するように導風路１１に配置されている。リフレクタ筒２４およびリフレクタ蓋２５はアルミニウム成形品からなり、その内面の反射面は鏡面状に研磨加工されている。
【００２５】
リフレクタ蓋２５の中央には、ハロゲンランプ１８をリフレクタ２３の内部に配置するための組付け開口２７が設けられており、この組付け開口２７を介してハロゲンランプ１８はリフレクタ２３の内部に差込まれた状態でランプソケット２０に保持されている。組付け開口２７は、ハロゲンランプ１８の組付け性の向上を目的として設けられており、ハロゲンランプ１８の直径寸法より僅かに大きな開口径に設定されている。ハロゲンランプ１８が組付け開口２７からリフレクタ２３の内部に差込まれた状態において、同ランプ１８のフィラメント１９はリフレクタ２３の内部に位置しており、同ランプ１８の後端は、僅かにリフレクタ２３から後方に突出している。
【００２６】
リフレクタ筒２４の照射開口２６には、ハロゲンランプ１８が放射した赤外光を透過させ、可視光を減衰させる（阻む）目的で、同開口２６を塞ぐように光学フィルタ３０が装着されている。光学フィルタ３０は円板状の低膨張性ガラスからなる基板ガラスと、該基板ガラスの表面に形成された波長が短い光（電磁波）を吸収する多層膜とで構成される。本実施例では、ハロゲンランプ１８が概ね４００ｎｍから３０００ｎｍの波長の可視光と赤外光を放射するものとし、これら光のうち波長が７００ｎｍ以下の可視光を光学フィルタ３０で吸収するようにして、ハロゲンランプ１８の眩しさを軽減するようにした。先の吹出口１０は光の照射口を兼ねており、リフレクタ２３で反射案内され、光学フィルタ３０で可視光が減衰された光（赤外光）は、照射開口２６および吹出口１０を介してユーザーの髪等に照射される。
【００２７】
光学フィルタ３０は、リフレクタ筒２４の前端に形成した装着段部３１に、前側から嵌め込まれ、さらに、リフレクタ筒２４の前端に被さるように装着された保持枠体３２で押え保持される。装着状態における光学フィルタ３０は、その周面が装着段部３１の内周面で受け止められ、前後の周縁部が保持枠体３２および装着段部３１の座部で受け止められて移動不能に保持されている。保持枠体３２は、リング状に形成された枠本体３３と、枠本体３３の周縁部から後向きに突設された周回状の嵌合壁３４とで構成されており、光学フィルタ３０を透過した光は枠本体３３の開口部分を通過する。保持枠体３２は、リフレクタ筒２４の前端に嵌合壁３４が外嵌する状態で圧嵌固定されている。
【００２８】
ハロゲンランプ１８を点灯するとリフレクタ２３の内部空気は、ハロゲンランプ１８の表面、およびハロゲンランプ１８で加熱されたリフレクタ２３と光学フィルタ３０の内面との熱交換により高温となる。高温の内部空気によるハロゲンランプ１８、リフレクタ２３、光学フィルタ３０などの破損を防止するために、リフレクタ筒２４の前端寄りにリフレクタ２３の内外で空気が流通可能な排熱開口３５が形成されている。排熱開口３５は周方向に長い４個のスリットからなり、装着段部３１の後側に隣接して等間隔置きに設けられている。先の嵌合壁３４は排熱開口３５に正対しており、排熱開口３５からリフレクタ２３の外部に放出される光の一部を同壁３４の内面でリフレクタ２３の内部側に向かって反射させて、排熱開口３５を介してリフレクタ２３から漏れ出る光の量を抑制している。
【００２９】
送風ファン１６で生起された乾燥風の一部は、ハロゲンランプ１８と組付け開口２７の縁部との間に形成された周回状の隙間Ｓからリフレクタ２３の内部に進入し、当該乾燥風に押し出されるようにリフレクタ２３の内部空気が排熱開口３５から排出される。このように、隙間Ｓからリフレクタ２３の内部に進入した乾燥風、さらにリフレクタ２３の外面を流れる乾燥風により、ハロゲンランプ１８、リフレクタ２３、光学フィルタ３０などが冷却される。これら部材の冷却に伴い乾燥風の温度が上昇するので、吹出口１０から温かい乾燥風が吹き出される。髪乾燥時は、髪に照射される赤外光に加え、温かい乾燥風により髪の乾燥が行われる。
【００３０】
この種のヘアードライヤーにおいては、可視光を含む高強度の光が組付け開口２７および排熱開口３５を介してリフレクタ２３から漏れ出るおそれがある。そこで本実施例においては、組付け開口２７および排熱開口３５から漏れ出る光の放出範囲に臨むように、光を受け止め、吸収する吸光体３８を配置した。図１において一点鎖線で挟まれる領域は、組付け開口２７および排熱開口３５から漏れ出る光の放出領域を示しており、光は組付け開口２７および排熱開口３５から後方外広がり状に放出される。特に、組付け開口２７から漏れ出る光は、隙間Ｓおよび透明なガラス管で構成されるハロゲンランプ１８の後端部分を介して放出される。なお、図１に示す放出領域は例示であり、当該領域は組付け開口２７および排熱開口３５の大きさや形状等により種々変化する。
【００３１】
吸光体３８は、主として組付け開口２７から漏れ出た光を受け止め吸収する第１吸光体３９と、主として排熱開口３５から漏れ出た光を受け止め吸収する第２吸光体４０とからなり、両吸光体３９・４０のそれぞれは、光を受け止める受光リング４１を備えている。図４において第１吸光体３９は、内面が組付け開口２７に臨むように配置された互いに直径寸法の異なる３個の円筒状の受光リング４１（４１Ａ・４１Ｂ・４１Ｃ）を含む。第２吸光体４０は、排熱開口３５に臨むように配置された、１個の受光リング４１Ｄを含む。第１吸光体３９を構成する各受光リング４１Ａ〜４１Ｃは、ランプソケット２０の周囲を囲むように、リフレクタ２３と同心状に配置されており、換言すれば３個の受光リング４１Ａ〜４１Ｃはリフレクタ２３と同心の多段円筒状に配置されており、隣り合う受光リング４１Ａ〜４１Ｃどうしは、十字状に設けられた連結リブ４２により連結されている。これら第１および第２の吸光体３９・４０はアルミニウム成形品からなり、ショットブラスト加工により表面全体には微小な凹凸４８が形成されている（図４参照）。さらに第１および第２の吸光体３９・４０は、ショットブラスト加工ののち表面全体に黒色アルマイト処理が施され、その表面は黒色に着色されている。
【００３２】
以上のように、本実施例においては、第１吸光体３９（吸光体３８）を構成する３個の受光リング４１Ａ〜４１Ｃをリフレクタ２３と同心の多段円筒状に配置したので、当該第１吸光体３９（吸光体３８）により導風路１１内における乾燥風の流れが妨げられることはなく、乾燥風を吹出口１０へとスムーズに送給することができる。また、円柱状に形成された導風路１１に、リフレクタ２３と複数の受光リング４１Ａ〜４１Ｃを同心状に配置したので、送風ファン１６で生起される乾燥風をこれら部材で整流して、吹出口１０へとスムーズに送給することができる。以上より、吹出口１０から吹き出される風速の低下を防止でき乾燥風を乾燥対象に効率よく送給することができる。
【００３３】
各受光リング４１Ａ〜４１Ｃの直径寸法は、本体ケース１と最も外側の受光リング４１Ｃとの隙間距離、隣接する受光リング（４１Ａと４１Ｂ）（４１Ｂと４１Ｃ）どうしの隙間距離、および最も内側の受光リング４１Ａとランプソケット２０との隙間距離が、略同一になるように設定されている。最も内側に位置する受光リング４１Ａの内面には、支持リブ４３が内向きに突設されており、先のランプソケット２０は支持リブ４３により第１吸光体３９に支持されている。各受光リング４１Ａ〜４１Ｃの内周面および先端面が、主として組付け開口２７から漏れ出た光を直接受け止める受光面４７とされており、各受光リング４１Ａ〜４１Ｃの外周面および後端面と連結リブ４２の表面は、受光リング４１Ａ〜４１Ｃ、導風路１１を形成する本体ケース１の内面、および導風路１１に配置された部材等で反射した光を受け止める受光面４７とされている。
【００３４】
図５に示すように、第１吸光体３９を構成する受光リング４１Ａ〜４１Ｃの前後寸法は、内側の受光リング４１ほど大きくなるように設定されており（４１Ａ＞４１Ｂ＞４１Ｃ）、かつ各受光リング４１Ａ〜４１Ｃの前端位置は、内側の受光リング４１ほど後側になるように配置されている。また、内外に隣り合う２個の受光リング（４１Ａと４１Ｂ）（４１Ｂと４１Ｃ）において、ハロゲンランプ１８（フィラメント１９）の発光中心Ｃと内側の受光リング４１Ａの外面前端とを結ぶ第１仮想光軸Ｌ１を想定したとき、当該受光リング４１Ａよりも外側に位置する受光リング４１Ｂの内面後端は、第１仮想光軸Ｌ１が受光リング４１Ａの内面と交差する位置よりも後方に位置するように設定されている。受光リング４１Ｂと受光リング４１Ｃとの関係においても同様であり、ハロゲンランプ１８（フィラメント１９）の発光中心Ｃと内側の受光リング４１Ｂの外面前端とを結ぶ第１仮想光軸Ｌ１を想定したとき、当該受光リング４１Ｂよりも外側に位置する受光リング４１Ｃの内面後端は、第１仮想光軸Ｌ１が受光リング４１Ａの内面と交差する位置よりも後方に位置するように設定されている。さらに、ハロゲンランプ１８の発光中心Ｃと組付け開口２７の内面後端とを結ぶ第２仮想光軸Ｌ２を想定したとき、最も外側の受光リング４１Ｃの内面前端が、第２仮想光軸Ｌ２が当該受光リング４１の内面と交差する位置よりも前方に位置するように設定されている。
【００３５】
第２吸光体４０は、リフレクタ２３よりも大きな直径に形成された１個の受光リング４１（４１Ｄ）からなり、リフレクタ筒２４の周囲を囲むように配置されている。受光リング４１Ｄの内周面が主として排熱開口３５から漏れ出た光を直接受け止める受光面４７とされており、受光リング４１Ｄの外周面および前後端面は、受光リング４１、導風路１１を形成する本体ケース１の内面、および導風路１１に配置された部材等で反射した光を受け止める受光面４７とされている。第１吸光体３９、第２吸光体４０、および先のモーター１７、リフレクタ２３など導風路１１内に配置される各部材は、十字状（放射状）に組まれたマイカ板からなる支持枠４４に支持されている（図４参照）。該支持枠４４は本体ケース１の内面で支持されており、これより、前記各部材は導風路１１内に移動不能に支持されている。本体ケース１とリフレクタ２３との間に円筒状の第２吸光体４０を配置したので、当該第２吸光体４０（吸光体３８）により導風路１１内における乾燥風の流れが妨げられることはなく、乾燥風を吹出口１０へとスムーズに送給することができる。
【００３６】
以上のように、光学フィルタ３０を通過せずにリフレクタ２３の外部に放出される光（可視光を多く含む光）の放出範囲に臨むように吸光体３８（第１および第２の吸光体３９・４０）を配置したので、リフレクタ２３の組付け開口２７および排熱開口３５から漏れ出た光を積極的に吸光体３８で受け止めて吸収させることができる。これにより、組付け開口２７等から漏れ出た光の強度を弱めることができるので、高強度の光が吹出口１０からユーザーに向かって直接的に照射されることを防いで、防眩性の向上を図ることができる。また、光の吸収により温度上昇した吸収体３８に導風路１１内を流れる乾燥風が接触して熱交換されることにより、乾燥風の温度を上昇させることができるので、組付け開口２７等から漏れ出た光を乾燥に寄与し得る熱エネルギーへと変換することが可能となり、ヘアードライヤーのエネルギー効率の向上を図ることができる。
【００３７】
内外に隣り合う２個の受光リング４１（４１Ａと４１Ｂ）（４１Ｂと４１Ｃ）において、外側の受光リング４１の内面後端を、第１仮想光軸Ｌ１が当該受光リング４１の内面と交差する位置よりも後方に延出したので、一つの受光リング４１において、その前端縁より前側に放出され、内面で受け止められなかった光を、当該受光リング４１の外側に配置された受光リング４１の内面で受け止めることができる。加えて、最も外側の受光リング４１（４１Ｃ）の内面前端を、第２仮想光軸Ｌ２が当該受光リング４１（４１Ｃ）の内面と交差する位置よりも前方に延出したので、ハロゲンランプ１８のフィラメント１９から組付け開口２７を介して直接リフレクタ２３から漏れ出る光を吸光体３８で的確に受け止め吸収できる。また、組付け開口２７から漏れ出た光をより効率よく吸収して熱に変換できる。
【００３８】
吸光体３８（第１および第２の吸光体３９・４０）の受光面４７に凹凸４８を設けたので（図４参照）、吸光体３８の表面積を拡大して吸光体３８と乾燥風との接触機会を増加させることができる。これにより、吸光体３８と乾燥風との間の熱交換を促進させ、乾燥風に吸光体３８の熱を的確に移動させることができ、エネルギー効率の向上を図ることができる。加えて吸光体３８の受光面４７を黒色に着色したので、吸光体３８の光の吸収率を向上させることができる。具体的には、受光面４７がショットブラスト加工後の素地のままでは吸光体３８の光の吸収率が２０％程度であるときでも、本実施例のように黒色アルマイト処理を施して受光面４７を黒色に着色すると、吸光体３８の光の吸収率を９０％程度にまで高めることができる。
【００３９】
本実施例においては、アルミニウムを素材として吸光体３８（第１および第２の吸光体３９・４０）を形成したが、該吸光体３８は、熱伝導率が高く、比熱が小さい素材で形成することが望ましい。形成素材の熱伝導率が低いと、光を吸収していない部分への熱の移動が遅滞して吸光体３８全体の温度が均一にならず、乾燥風との熱交換効率が低下するからである。また、形成素材の比熱が大きいと、温まりにくく冷めにくい吸光体３８となるため、光の吸収率を高めても温度上昇に時間を要し、さらに乾燥風との熱交換効率も低下するからである。
【００４０】
図６から図８にパーソナルコンピュータ上で動作する市販の解析ソフトウェアを用いて、吸光体３８による光の弱化効果、および乾燥風の昇温効果をシミュレーションした結果を示す。このシミュレーションは、図６に示すように、本体ケース１の内部の導風路１１に本実施例に係るハロゲンランプ１８、リフレクタ２３、および吸光体３８を配置したドライヤーモデルを想定して行った。ハロゲンランプ１８から放射された光は隙間Ｓからのみリフレクタ２３の外部に放出されるように設定し、吸光体３８は第１吸光体３９のみ配置した。シミュレーションは、吸光体３８の光の吸収率を１０％刻みで変更して、導風路入口側の熱量測定面に到達する熱量と導風路出口側の温度測定点における乾燥風温度を測定した。なお、光の吸収率が０％とは、吸光体３８を省略したときの値を示している。
【００４１】
図７に示すように、吸光体３８の光の吸収率が４０％であるとき、光の吸収率が０％のときと比べて、導風路入口側に到達する熱量は半分以下に減少している。当該到達熱量が減少しているということは、光が弱められていることを意味しており、吸光体３８の光の吸収率が４０％以上であれば、充分な光の弱化効果が得られると推定される。図８に示すように、吸光体３８の光の吸収率が５０％であるとき、光の吸収率が０％のときと比べて、導風路出口側の乾燥風温度は約２℃上昇しており、吸光体３８の光の吸収率が５０％以上であれば、充分な乾燥風の昇温効果が得られると推定できる。以上のことから、吸光体３８における光の吸収率は、４０％以上であることが好ましく、５０％以上であることがより好ましい。なお、光の吸収率が４０％未満であると、吸光体３８で反射される光の割合が多くなる分、光の弱化が充分ではなくなりユーザーは眩しさを感じる。また、吸光体３８の温度上昇に時間を要し、ドライヤーの使用開始後、乾燥風が定常温度に維持されるまでの時間が長くなる。
【００４２】
（実施例２）  図９に第１吸光体３９（吸光体３８）の一部を変更したヘアードライヤーの実施例２を示す。実施例２の第１吸光体３９は、各受光リング４１Ａ・４１Ｂ・４１Ｃが、導風路１１の下手側に行くにしたがって拡径する円筒状に形成した点が実施例１と異なる。こうした第１吸光体３９によれば、受光リング４１の内周面側の受光面４７における鉛直線を組付け開口２７側に指向させて、受光面４７に対する光の入射角を実施例１の第１吸光体３９よりも小さくできるので、第１吸光体３９でより効率よく光を吸収することができる。また、リフレクタ２３を避けるように乾燥風を案内して、第１吸光体３９による整流効果をより高めることができる。他は実施例１と同じであるので、同じ部材に同じ符号を付してその説明を省略する。以下の実施例においても同じとする。
【００４３】
（実施例３）  図１０に第１吸光体３９（吸光体３８）の一部を変更したヘアードライヤーの実施例３を示す。本実施例においては、各受光リング４１の外周面及び内周面に、乾燥風の流れ方向に沿うように伸びる三角形状の突起５０を多数設けた点が実施例１と異なる。こうした第１吸光体３９によれば、第１吸光体３９の表面積をより拡大して、第１吸光体３９と乾燥風との接触機会を増加させることができるので、第１吸光体３９と乾燥風との間の熱交換をより促進させることができる。
【００４４】
上記の各実施例では発光体１８はハロゲンランプで構成したが、発熱しつつ赤外線を放射する、例えば白熱ランプ、キセノンランプ、またはメタルハライドランプなどで構成してもよく、また、ハロゲンヒーター、セラミックヒーター、およびカーボンヒーターなどの遠赤外線を含む熱源で構成してもよい。吸光体３８の素材はアルミニウムに限られず、例えば表面に酸化膜を形成した銅などを素材として構成してもよく、また、金属材料に限らず耐熱性を有していれば樹脂を素材として構成することもできる。吸光体３８の形状は、上記の各実施例の形状に限られず、リフレクタ２３から漏れ出る光の放出方向や導風路１１の形状等に対応して適宜変更することができる。本体ケース１の内面側に筒体を設けて導風路１１の外壁を二重筒で構成し、内側の筒体を吸光体３８として構成することもできる。送風ファン１６など導風路１１に配置されている部材を、吸光体３８として機能させることができるアルミニウムなどの素材で形成可能であれば、当該部材が吸光体３８の機能を兼ねるように構成することができる。
【００４５】
本発明に係るドライヤーは、毛髪を乾燥対象とするヘアードライヤーに限らず、手足、爪などの身体部位、あるいは人用に限らず犬や猫など動物用のドライヤーにも適用でき、また、衣類用の衣類乾燥器にも適用できる。
【符号の説明】
【００４６】
１  本体ケース
１０  吹出口
１１  導風路
１６  送風ファン
１８  発光体（ハロゲンランプ）
２３  リフレクタ
２６  照射開口
２７  組付け開口
３０  光学フィルタ
３８  吸光体
４１  受光リング
４７  受光面
４８  凹凸
Ｃ  発光体の発光中心
Ｌ１  第１仮想光軸
Ｌ２  第２仮想光軸
【図１】
2020130718.tif 000003
【図２】
2020130718.tif 000004
【図３】
2020130718.tif 000005
【図４】
2020130718.tif 000006
【図５】
2020130718.tif 000007
【図６】
2020130718.tif 000008
【図７】
2020130718.tif 000009
【図８】
2020130718.tif 000010
【図９】
2020130718.tif 000011
【図１０】
2020130718.tif 000012